(57)【要約】      （修正有）【課題】ケーブルの未使用段階の長さである初期ケーブル長を容易に計測するケーブル長計測装置、及び、ケーブル長計測方法を提供する。【解決手段】抵抗値測定部１０１は、ケーブルが未使用段階であり、一対の電線の一端間が短絡されている場合、初期抵抗値を測定し、ケーブルから使用されるケーブル部分が切り離される場合、残存抵抗値を測定する。ケーブル長測定部１０３は、ケーブルから使用されるケーブル部分が切り離される場合、使用ケーブル長を測定する。割合算出部１０４は、ケーブルから使用されるケーブル部分が切り離される場合、使用ケーブル長の合計値に対する、初期抵抗値と残存抵抗値との差である減少抵抗値の割合である個別割合を算出する。ケーブル長算出部１０５は、個別割合と初期抵抗値とに基づいて、初期ケーブル長を算出する。【選択図】図４
2019020331.tif 000002
【特許請求の範囲】
【請求項１】
一対の電線を含み、未使用段階では巻かれているケーブルの未使用段階の長さである初期ケーブル長を計測するケーブル長計測装置であって、
前記ケーブルが未使用段階であり、前記一対の電線の一端間が短絡されている場合、前記一対の電線の他端間の抵抗値を初期抵抗値として測定し、前記ケーブルから使用されるケーブル部分が切り離される場合、残されたケーブル部分に含まれる一対の電線の一端間が短絡された状態において、前記残されたケーブル部分に含まれる一対の電線の他端間の抵抗値を残存抵抗値として測定する抵抗値測定手段と、
前記ケーブルから前記使用されるケーブル部分が切り離される場合、前記使用されるケーブル部分の長さである使用ケーブル長を測定するケーブル長測定手段と、
前記ケーブルから前記使用されるケーブル部分が切り離される場合、前記使用ケーブル長の合計値に対する、前記初期抵抗値と前記残存抵抗値との差である減少抵抗値の割合である個別割合を算出する割合算出手段と、
前記個別割合と前記初期抵抗値とに基づいて、前記初期ケーブル長を算出するケーブル長算出手段と、を備える、
ケーブル長計測装置。
【請求項２】
前記ケーブル長算出手段は、前記ケーブルから前記使用されるケーブル部分が切り離される毎に前記割合算出手段により算出された個別割合の平均値に対する前記初期抵抗値の割合を、前記初期ケーブル長として算出する、
請求項１に記載のケーブル長計測装置。
【請求項３】
前記ケーブル長算出手段は、前記ケーブルから前記使用されるケーブル部分が切り離される毎に前記割合算出手段により算出された個別割合のうち最後に算出された個別割合に対する前記初期抵抗値の割合を、前記初期ケーブル長として算出する、
請求項１に記載のケーブル長計測装置。
【請求項４】
前記ケーブルを切断するカッターと、前記カッターにより前記ケーブルが切断されるときにトリガ信号を出力する信号出力回路と、を備えるケーブル切断手段を更に備え、
前記ケーブル長測定手段は、前記ケーブルに対する切断位置の調整操作に応じて回転するローラーと、前記ローラーの回転量を検出するロータリーエンコーダと、を備え、前記信号出力回路により前記トリガ信号が出力された場合、前記ロータリーエンコーダにより検出された回転量から前記使用ケーブル長を算出する、
請求項１から３のいずれか１項に記載のケーブル長計測装置。
【請求項５】
前記カッターにより前記ケーブルが切断されるときに、前記残されたケーブル部分に含まれる一対の電線の一端間を短絡する短絡プローブを更に備える、
請求項４に記載のケーブル長計測装置。
【請求項６】
前記カッターは、前記短絡プローブとして機能し、前記ケーブルを切断するときに、前記残されたケーブル部分に含まれる一対の電線の一端間を短絡する、
請求項５に記載のケーブル長計測装置。
【請求項７】
前記残されたケーブル部分に含まれる一対の電線の一端間は、予め短絡されており、
前記カッターにより前記ケーブルが切断されるときに、前記残されたケーブル部分に含まれる一対の電線の他端間に接続される計測プローブを更に備え、
前記抵抗値測定手段は、前記計測プローブを介して、前記残存抵抗値を測定する、
請求項４に記載のケーブル長計測装置。
【請求項８】
前記ケーブルが未使用段階であるときに、前記一対の電線の一端間又は他端間に電圧パルスを印加するパルス印加手段と、
前記電圧パルスの立ち上がりから予め定められた測定時間が経過するまでの前記一対の電線の一端間又は他端間の電圧値を含む電圧波形を測定する波形測定手段と、
前記波形測定手段により測定された電圧波形から、前記電圧パルスが前記一対の電線を往復するのに要した時間を測定する時間測定手段と、
前記時間測定手段により測定された時間と前記初期ケーブル長とに基づいて、前記ケーブルの未使用段階の誘電率を算出する誘電率算出手段と、を更に備える、
請求項１から７のいずれか１項に記載のケーブル長計測装置。
【請求項９】
一対の電線を含み、未使用段階では巻かれているケーブルの未使用段階の長さである初期ケーブル長を計測するケーブル長計測方法であって、
前記ケーブルが未使用段階であり、前記一対の電線の一端間が短絡されている場合、前記一対の電線の他端間の抵抗値を初期抵抗値として測定し、
前記ケーブルから使用されるケーブル部分が切り離される場合、残されたケーブル部分に含まれる一対の電線の一端間が短絡された状態において、前記残されたケーブル部分に含まれる一対の電線の他端間の抵抗値を残存抵抗値として測定し、
前記ケーブルから前記使用されるケーブル部分が切り離される場合、前記使用されるケーブル部分の長さである使用ケーブル長を測定し、
前記使用ケーブル長の合計値と、前記初期抵抗値と前記残存抵抗値との差である減少抵抗値との関係を求め、
前記求めた関係と前記初期抵抗値とに基づいて、前記初期ケーブル長を算出する、
ケーブル長計測方法。
【発明の詳細な説明】
【技術分野】
【０００１】
本発明は、ケーブル長計測装置、及び、ケーブル長計測方法に関する。
【背景技術】
【０００２】
電気信号や電力の伝送に用いられるケーブルは、ケーブルリールに何重にも巻かれた状態で販売されたり輸送されたりすることが多い。このようなケーブルは、使用時には、ケーブルリールから必要な長さ分だけ取り出されて切断される。ここで、使用前のケーブルの長さである初期ケーブル長を知りたいことがある。しかしながら、ケーブルリールからケーブルを全て取り出して初期ケーブル長を計測し、初期ケーブル長の計測後にケーブルをケーブルリールに巻きつけることは面倒である。このため、初期ケーブル長をなるべく簡単な方法で計測したいという要望がある。
【０００３】
現在、このような要望に関連した種々の技術が知られている。例えば、特許文献１には、巻線作業が終了する毎に、残された電線の抵抗値を測定し、電線残量が１回の巻線に必要な長さを有するか否かを判定する技術が記載されている。特許文献１に記載された技術では、１回の巻線で変化した抵抗値の平均値に基づいて、１回の巻線に必要な長さの抵抗値が算定される。
【先行技術文献】
【特許文献】
【０００４】
【特許文献１】特開昭６０−６５５１０号公報
【発明の概要】
【発明が解決しようとする課題】
【０００５】
しかしながら、特許文献１に記載された技術は、残された電線の長さを計測する技術であり、使用前の電線の長さを計測する技術ではない。また、特許文献１に記載された技術は、１回の巻線で使用される電線の長さが変化しない場合に利用できる技術であり、１回の巻線で使用される電線の長さが変化する場合に利用できる技術ではない。このため、ケーブルの未使用段階の長さである初期ケーブル長を容易に計測する技術が望まれている。
【０００６】
本発明は、上記問題に鑑みてなされたものであり、ケーブルの未使用段階の長さである初期ケーブル長を容易に計測するケーブル長計測装置、及び、ケーブル長計測方法を提供することを目的とする。
【課題を解決するための手段】
【０００７】
上記目的を達成するために、本発明に係るケーブル長計測装置は、
一対の電線を含み、未使用段階では巻かれているケーブルの未使用段階の長さである初期ケーブル長を計測するケーブル長計測装置であって、
前記ケーブルが未使用段階であり、前記一対の電線の一端間が短絡されている場合、前記一対の電線の他端間の抵抗値を初期抵抗値として測定し、前記ケーブルから使用されるケーブル部分が切り離される場合、残されたケーブル部分に含まれる一対の電線の一端間が短絡された状態において、前記残されたケーブル部分に含まれる一対の電線の他端間の抵抗値を残存抵抗値として測定する抵抗値測定手段と、
前記ケーブルから前記使用されるケーブル部分が切り離される場合、前記使用されるケーブル部分の長さである使用ケーブル長を測定するケーブル長測定手段と、
前記ケーブルから前記使用されるケーブル部分が切り離される場合、前記使用ケーブル長の合計値に対する、前記初期抵抗値と前記残存抵抗値との差である減少抵抗値の割合である個別割合を算出する割合算出手段と、
前記個別割合と前記初期抵抗値とに基づいて、前記初期ケーブル長を算出するケーブル長算出手段と、を備える。
【発明の効果】
【０００８】
本発明では、使用ケーブル長の合計値と減少抵抗値と初期抵抗値とに基づいて、初期ケーブル長が算出される。従って、本発明によれば、ケーブルの未使用段階の長さである初期ケーブル長を容易に計測することができる。
【図面の簡単な説明】
【０００９】
【図１】本発明の実施形態１に係るケーブル長計測装置の構成図
【図２】本発明の実施形態１に係る処理装置の構成図
【図３】短絡プローブが一対の電線の一端間を短絡する様子を示す図
【図４】本発明の実施形態１に係るケーブル長計測装置の機能ブロック図
【図５】ケーブル長と抵抗値との関係を示す図
【図６】ＴＤＲ測定により電圧パルスの往復時間を計測する様子を示す図
【図７】本発明の実施形態１に係るケーブル長計測装置が実行するケーブル長計測処理を示すフローチャート
【図８】本発明の実施形態２に係るケーブル長計測装置の構成図
【図９】短絡プローブとして機能するカッターがケーブルを切断する様子を示す図
【図１０】本発明の実施形態３に係るケーブル長計測装置の構成図
【発明を実施するための形態】
【００１０】
本発明の実施形態を、図面を参照して説明する。
【００１１】
（実施形態１）
まず、図１を参照して、本発明の実施形態１に係るケーブル長計測装置１０００について説明する。ケーブル長計測装置１０００は、ケーブル２０の未使用段階の長さ（以下「初期ケーブル長」という。）を計測する装置である。また、ケーブル長計測装置１０００は、初期ケーブル長から、ケーブル２０の未使用段階の誘電率（以下「初期誘電率」という。）を算出する機能も有する。ケーブル２０が未使用段階であることは、基本的に、ケーブル２０が製造直後の新品状態であり、ケーブル２０が殆ど劣化していないことを意味する。また、ケーブル２０が劣化することは、ケーブル２０を構成する樹脂（図示せず）が劣化し、ケーブル２０全体としての誘電率が低下又は増大することを意味する。
【００１２】
初期誘電率は、例えば、ケーブル２０の劣化を検知するときに用いられる。具体的には、例えば、ケーブル２０の初期誘電率とケーブル２０の現在時における誘電率（以下「現誘電率」という。）との差が予め定められた閾値以上である場合、又は、初期誘電率に対する現誘電率の割合が、閾値以下（又は閾値以上）である場合、ケーブル２０が劣化したと判別される。なお、ケーブル２０の誘電率は、ＴＤＲ（Time Domain Reflectometry）計測により観測されるＴＤＲ波形から特定される、電圧パルスがケーブル２０を往復するのに要する時間（以下、適宜「電圧パルスの往復時間」という。）と、ケーブル２０の長さ（以下、適宜「ケーブル長」という。）とから算出可能である。
【００１３】
ケーブル長は、巻き尺などにより測定してもよいし、ケーブル２０に含まれる一対の電線の抵抗値、つまり、この一対の電線の一端を短絡したときにこの一対の電線の他端間を測定することにより得られる抵抗値から算出することもできる。ただし、ケーブル２０は、初期段階では、ケーブルリール３０に何重にも巻かれた状態である。このため、巻き尺などを用いて初期ケーブル長を測定することは面倒である。また、初期ケーブル長は、仕様書に記載されていないこともある。そこで、初期ケーブル長に関しては、初期ケーブル長に対応する抵抗値を特定する。
【００１４】
一方、ケーブルリール３０から使用されるケーブル部分が切り離された場合、このケーブル部分の長さの実測値（例えば、巻き尺などによる測定値）と、このケーブル部分の長さに対応する抵抗値との対応関係を特定し、ケーブル長と抵抗値との対応関係を特定する。ここで、この対応関係は、比例関係であり、比例定数により特定される。そこで、初期段階で特定された抵抗値とこの対応関係（つまり、比例定数）とから、初期ケーブル長が推定可能である。なお、ケーブル２０に含まれる一対の電線は劣化せず、この一対の電線の抵抗値が不変であることが前提である。
【００１５】
図１に示すように、ケーブル長計測装置１０００は、処理装置１００と、ケーブル切断装置２００と、短絡プローブ３１０，３２０と、ローラー４１０，４２０と、ロータリーエンコーダ４１２，４２２と、抵抗測定器５００とを備える。つまり、処理装置１００とケーブル切断装置２００と短絡プローブ３１０，３２０とローラー４１０，４２０とロータリーエンコーダ４１２，４２２と抵抗測定器５００とが協働して、ケーブル長計測装置１０００として機能する。なお、ケーブル長計測装置１０００は、ケーブル長計測システムと考えることもできる。
【００１６】
ケーブル２０は、初期ケーブル長の計測対象であるケーブルである。ケーブル２０は、例えば、ビルや工場の設備に敷設され、電力の供給や電気信号の送信に用いられるケーブルである。ケーブル２０は、未使用段階では、ケーブルリール３０に何重にも巻かれているものとする。初期ケーブル長は、例えば、数十ｍから数百メールであり、巻き尺などで測定することは困難であるものとする。
【００１７】
図３に示すように、ケーブル２０は、電線２１と電線２２とにより構成される一対の電線を備える。本実施形態では、ケーブル２０の長さは、電線２１の長さ及び電線２２の長さと等しいものとする。電線２１と電線２２との間隔は均一であり、ケーブル２０の長さは、電線２１と電線２２との間の距離に対して十分に長く、ケーブル２０は、分布定数回路と見做されるものとする。電線２１と電線２２とは、銅、アルミ、銀などの金属により構成される芯線である。
【００１８】
ケーブル２０は、電線２１を被覆する絶縁体２３と、電線２２を被覆する絶縁体２４とを備える。ケーブル２０は、電線２１と電線２２とを外部空間から遮蔽するシールド線（図示せず）や、このシールド線を被覆する絶縁体（図示せず）を備えていてもよい。ケーブル２０は、例えば、導体径が１．２ｍｍである２芯のＣＰＥＶケーブルであり、未使用段階では、数十ｍから数百メール程度であるものとする。
【００１９】
処理装置１００は、ケーブル長計測装置１０００が実行する基本的な処理を実行する装置である。処理装置１００は、ケーブル切断装置２００とロータリーエンコーダ４１２，４２２とのそれぞれと有線で通信し、抵抗測定器５００と無線で通信する。処理装置１００は、ケーブル切断装置２００からトリガ信号を受信した場合、ロータリーエンコーダ４１２，４２２から受信したパルス信号に基づいて、使用ケーブル長を算出する。使用ケーブル長は、ケーブル２０から切り離された、使用されるケーブル部分の長さである。
【００２０】
また、処理装置１００は、使用ケーブル長の合計値（累積値）と減少抵抗値との対応関係と、初期抵抗値とに基づいて、初期ケーブル長を算出する。減少抵抗値は、初期抵抗値と残存抵抗値との差である。初期抵抗値は、未使用段階のケーブル２０に含まれる一対の電線の抵抗値である。残存抵抗値は、ケーブル２０から使用されるケーブル部分が切り離されたときに残されたケーブル部分に含まれる一対の電線の抵抗値である。処理装置１００は、パーソナルコンピュータ、タブレット端末、スマートフォンなどである。以下、図２を参照して、処理装置１００の構成について説明する。
【００２１】
図２に示すように、処理装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、有線通信インターフェース１７、無線通信インターフェース１８を備える。処理装置１００が備える各構成要素は、バスを介して相互に接続される。
【００２２】
ＣＰＵ１１は、処理装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、処理装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２３】
フラッシュメモリ１４は、各種の情報を記憶する不揮発性メモリである。例えば、フラッシュメモリ１４には、タッチスクリーン１６に対する操作により取得された情報、有線通信インターフェース１７により取得された情報、無線通信インターフェース１８により取得された情報などが記憶される。ＲＴＣ１５は、計時用のデバイスである。ＲＴＣ１５は、例えば、電池を内蔵し、処理装置１００の電源がオフの間も計時を継続する。ＲＴＣ１５は、例えば、水晶発振子を備える発振回路を備える。
【００２４】
タッチスクリーン１６は、ユーザによりなされたタッチ操作を検知し、検知の結果を示す信号をＣＰＵ１１に供給する。また、タッチスクリーン１６は、ＣＰＵ１１などから供給された画像信号に基づく画像を表示する。このように、タッチスクリーン１６は、処理装置１００のユーザインターフェースとして機能する。なお、処理装置１００は、タッチスクリーン１６に代えて、液晶ディスプレイ、マウス、キーボードなどを備えていてもよい。
【００２５】
有線通信インターフェース１７は、有線により通信するためのインターフェースであり、処理装置１００をケーブル切断装置２００とロータリーエンコーダ４１２，４２２と信号発生器６００と波形測定器７００とに接続するためのインターフェースである。なお、信号発生器６００と波形測定器７００とについては後述する。有線通信インターフェース１７は、ケーブル切断装置２００、ロータリーエンコーダ４１２，４２２、波形測定器７００から取得した情報を、ＣＰＵ１１、ＲＡＭ１３、フラッシュメモリ１４などに供給する。また、有線通信インターフェース１７は、ＣＰＵ１１による制御に従って、信号発生器６００と波形測定器７００とを制御する。有線通信インターフェース１７は、例えば、デジタル入出力ボード、ＵＳＢ（Universal Serial Bus）用のインターフェース、ＬＡＮ（Local Area Network）用のインターフェース、ＩＥＥＥ（Institute of Electrical and Electronic Engineers）１３９４用のインターフェースなどを備える。
【００２６】
有線通信インターフェース１７は、ケーブル切断装置２００からトリガ信号を受信すると、第１のエッジ割り込みを発生させる。一方、ＣＰＵ１１は、第１のエッジ割り込みが発生したことに応答して、使用ケーブル長を算出する処理を開始する。また、有線通信インターフェース１７は、ロータリーエンコーダ４１２，４２２からパルス信号を受信すると、第２のエッジ割り込みを発生させる。一方、ＣＰＵ１１は、第２のエッジ割り込みが発生したことに応答して、パルスカウントの値をインクリメントする。
【００２７】
無線通信インターフェース１８は、無線により通信するためのインターフェースであり、処理装置１００を、抵抗測定器５００と接続するためのインターフェースである。無線通信インターフェース１８は、例えば、Ｂｌｕｅｔｏｏｔｈ（登録商標）用のインターフェースである。無線通信インターフェース１８は、Ｗｉ−Ｆｉ用のインターフェース、無線ＬＡＮ用のインターフェースであってもよい。
【００２８】
ケーブル切断装置２００は、ケーブル２０を切断する装置である。ケーブル切断装置２００は、カッター２１０，２２０と信号出力回路２４０とを備える。ケーブル切断装置２００は、例えば、レバー（図示せず）やハンドル（図示せず）がユーザにより操作されると、カッター２１０，２２０が切断面２３０に沿って互いに近づく方向に移動し、切断面２３０においてケーブル２０を切断する。カッター２１０，２２０は、硬度が高い金属（例えば、鋼鉄）により構成される。
【００２９】
信号出力回路２４０は、カッター２１０，２２０によりケーブル２０が切断されたときに、トリガ信号を発生する。信号出力回路２４０は、例えば、カッター２１０，２２０が予め定められた位置に移動したときに開放又は短絡する接点を有するスイッチ（図示せず）を備える。本実施形態では、ケーブル切断装置２００は、ユーザによるマニュアル操作により、手動で動作するものとする。ただし、ケーブル切断装置２００は、例えば、カッター２１０，２２０を自動で駆動するための駆動部（図示せず）を備え、処理装置１００による制御により、自動で動作してもよい。
【００３０】
短絡プローブ３１０，３２０は、図３に示すように、ケーブル２０が備える一対の電線間を短絡するための針や刃である。短絡プローブ３１０と短絡プローブ３２０とは、短絡線３３０により短絡され、導通する。短絡プローブ３１０，３２０は、電気抵抗や接触抵抗が小さい金属により構成される。短絡線３３０は、例えば、電気抵抗が小さい金属により構成され、短絡プローブ３１０と短絡プローブ３２０とを導通させる。短絡プローブ３１０，３２０は、例えば、レバー（図示せず）やハンドル（図示せず）がユーザにより操作されると、短絡プローブ３１０と短絡プローブ３２０とが切断面２３０と平行な面（図示せず）に沿って互いに近づく方向に移動し、一対の電線に接触する。切断面２３０とこの平行な面との距離は極めて近い（例えば、１ｃｍ程度）ことが好適である。つまり、短絡プローブ３１０，３２０と、カッター２１０，２２０との距離は、極めて近いことが好適である。
【００３１】
つまり、ユーザは、短絡プローブ３１０が電線２１に接触又は食い込み、短絡プローブ３２０が電線２２に接触又は食い込むまで、短絡プローブ３１０，３２０をケーブル２０に食い込ませる。なお、短絡プローブ３１０，３２０をケーブル２０に食い込ませ過ぎて、短絡プローブ３１０と短絡プローブ３２０とが接触したり、電線２１と電線２２とが接触したりしても、電線２１と電線２２とが導通することに変わりはないため問題はない。本実施形態では、短絡プローブ３１０，３２０は、ユーザによるマニュアル操作により、手動で移動するものとする。ただし、短絡プローブ３１０，３２０は、例えば、短絡プローブ３１０，３２０を自動で移動させるための駆動部（図示せず）を備え、処理装置１００による制御により、自動で移動させてもよい。
【００３２】
ローラー４１０，４２０は、ケーブル２０に対する切断位置の調整操作に応じて回転する。ローラー４１０は、回転軸４１１を中心にして回転する。ローラー４２０は、回転軸４２１を中心にして回転する。ケーブル２０は、ローラー４１０とローラー４２０とにより挟み込まれ、ケーブル２０がケーブルリール３０から引き出されると、ローラー４１０とローラー４２０とが回転する。
【００３３】
ロータリーエンコーダ４１２、４２２は、ローラー４１０，４２０の回転量を検出する。つまり、ロータリーエンコーダ４１２は、回転軸４１１に装着され、ローラー４１０の回転量に応じた数のパルス信号を出力する。ロータリーエンコーダ４１２は、ローラー４１０が予め定められた角度（例えば、１０度）回転する毎に、パルス信号を出力する。ロータリーエンコーダ４２２は、回転軸４２１に装着され、ローラー４２０の回転量に応じた数のパルス信号を出力する。ロータリーエンコーダ４２２は、ローラー４２０が予め定められた角度（例えば、１０度）回転する毎に、パルス信号を出力する。なお、ローラー４１０の回転量とローラー４２０の回転量とは、基本的に、同じである。従って、ロータリーエンコーダ４１２とロータリーエンコーダ４２２との一方がなくてもよい。ただし、処理装置１００は、ロータリーエンコーダ４１２が出力したパルス数とロータリーエンコーダ４２２が出力したパルス数との平均値を採用することにより、使用ケーブル長の算出精度を高めることができる。
【００３４】
抵抗測定器５００は、ケーブル２０が備える一対の電線の他端間の抵抗値を測定する。本実施形態では、一対の電線が備える２つの端部のうち、先に使用される方の端部（ケーブル切断装置２００寄りの端部）が一端であり、残りの端部（ケーブルリール３０寄りの端部）が他端であるものとする。抵抗測定器５００は、例えば、ケーブルリール３０と一体化され、ケーブルリール３０と共に回転する。抵抗測定器５００は、無線通信インターフェース（図示せず）を備え、処理装置１００と無線で通信する。例えば、抵抗測定器５００は、無線通信により、測定した抵抗値を示す情報を、処理装置１００に送信する。抵抗測定器５００は、通信線（図示せず）により処理装置１００と接続されないため、通信線のねじれによる問題は生じない。
【００３５】
次に、図４を参照して、ケーブル長計測装置１０００の機能について説明する。ケーブル長計測装置１０００は、機能的には、抵抗値測定部１０１、記憶部１０２、ケーブル長測定部１０３、割合算出部１０４、ケーブル長算出部１０５、情報出力部１０６、ケーブル切断部１０７、パルス印加部１０８、波形測定部１０９、時間測定部１１０、誘電率算出部１１１を備える。
【００３６】
抵抗値測定部１０１は、初期抵抗値と残存抵抗値とを測定する。初期抵抗値は、ケーブル２０が未使用段階であり、ケーブル２０が備える一対の電線の一端間が短絡されているときに、一対の電線の他端間を測定することにより得られる抵抗値である。残存抵抗値は、ケーブル２０から使用されるケーブル部分が切り離されたときに、残されたケーブル部分に含まれる一対の電線の一端間が短絡された状態において、残されたケーブル部分に含まれる一対の電線の他端間を測定することにより得られる抵抗値である。抵抗値測定部１０１は、ケーブル２０から使用されるケーブル部分が切り離される毎に、残存抵抗値を測定する。抵抗値測定部１０１の機能は、例えば、ＣＰＵ１１と有線通信インターフェース１７と抵抗測定器５００とが協働することにより実現される。抵抗値測定部１０１は、抵抗値測定手段として機能する。
【００３７】
記憶部１０２は、各種の情報を記憶する。記憶部１０２は、例えば、初期抵抗値を示す情報、残存抵抗値を示す情報、使用ケーブル長を示す情報、使用ケーブル長の合計値（累積値）と減少抵抗値との対応関係を示す情報、電圧パルスの往復時間を示す情報、初期ケーブル長を示す情報、初期誘電率を示す情報を記憶する。記憶部１０２の機能は、例えば、フラッシュメモリ１４の機能により実現される。
【００３８】
ケーブル長測定部１０３は、ケーブル２０から使用されるケーブル部分が切り離される毎に、使用ケーブル長を測定する。なお、使用ケーブル長は、使用されるケーブル部分の長さである。ケーブル長測定部１０３の機能は、例えば、ケーブル２０に対する切断位置の調整操作に応じて回転するローラー４１０，４２０の機能と、ローラー４１０，４２０の回転量を検出するロータリーエンコーダ４１２，４２２の機能と、ロータリーエンコーダ４１２，４２２により検出された回転量から使用ケーブル長を算出するＣＰＵ１１の機能とにより実現される。ケーブル長測定部１０３は、ケーブル長測定手段として機能する。
【００３９】
割合算出部１０４は、ケーブル２０から使用されるケーブル部分が切り離される毎に、個別割合を算出する。個別割合は、使用ケーブル長の合計値に対する、初期抵抗値と残存抵抗値との差である減少抵抗値の割合である。個別割合は、ケーブル２０に含まれる一対の電線の単位長さ当たりの抵抗値とも言える。割合算出部１０４の機能は、例えば、ＣＰＵ１１の機能により実現される。割合算出部１０４は、割合算出手段として機能する。
【００４０】
ケーブル長算出部１０５は、ケーブル２０から使用されるケーブル部分が切り離される毎に算出された個別割合に対する、初期抵抗値の割合を、初期ケーブル長として算出する。ケーブル長算出部１０５の機能は、例えば、ＣＰＵ１１の機能により実現される。ケーブル長算出部１０５は、ケーブル長算出手段として機能する。
【００４１】
ここで、ケーブル長算出部１０５は、ケーブル２０から使用されるケーブル部分が切り離される毎に算出された個別割合の平均値から初期ケーブル長を算出してもよい。以下、図５を参照して、個別割合の平均値から初期ケーブル長を算出する手法について説明する。図５は、ケーブル２０のケーブル長と、ケーブル２０に含まれる一対の電線の一端間を短絡したときに、この一対の電線の他端間を測定することにより得られる抵抗値との関係を示すグラフである。
【００４２】
ｒ０は、ケーブル２０が未使用段階であるときに測定された初期抵抗値である。Ｌ０は、ケーブル２０が未使用段階であるときのケーブル２０の長さ、つまり、初期ケーブル長である。なお、ケーブル２０が未使用段階であるときは、Ｌ０は未知である。Ｐ０は、ケーブル長をＬ０とし、抵抗値をｒ０としたときの座標である。Ｄ０は、Ｐ０と原点とを結ぶ直線である。θ０は、Ｄ０と横軸（ケーブル長を示す軸）とのなす角である。つまり、θ０は、未使用段階のケーブル２０の単位ケーブル長当たりの抵抗値を示す値である。θ０は、ｔａｎθ０＝ｒ０／Ｌ０という式（１）により表される。ここで、Ｌ０を算出する場合、式（１）を変形した式、つまり、Ｌ０＝ｒ０／ｔａｎθ０という式（２）が用いられる。
【００４３】
ｒ１は、ケーブル２０からｄ１の長さのケーブル部分が切り離されたときに測定された残存抵抗値である。Ｌ１は、ケーブル２０からｄ１の長さのケーブル部分が切り離されたときに残されたケーブル部分の長さである。ｄ１は、ケーブル長測定部１０３により測定される。なお、Ｌ１は、未知であるが、Ｌ０とＬ１との差分はｄ１であり既知である。Ｐ１は、ケーブル長をＬ１とし、抵抗値をｒ１としたときの座標である。Ｄ１は、Ｐ１と原点とを結ぶ直線である。θ１は、Ｄ１と横軸とのなす角である。つまり、θ１は、ｄ１の長さのケーブル部分の単位ケーブル長当たりの抵抗値を示す値である。θ１は、ｔａｎθ１＝（ｒ０−ｒ１）／ｄ１という式（３）により表される。この段階で、Ｌ０を算出する場合、ｔａｎθ０＝ｔａｎθ１という式（４）で近似される。そして、式（２）と式（３）と式（４）とから、Ｌ０が算出される。
【００４４】
ｒ２は、ケーブル２０から、ｄ１の長さのケーブル部分に加え、更に、ｄ２の長さのケーブル部分が、切り離されたときに測定された残存抵抗値である。Ｌ２は、ケーブル２０からｄ１の長さのケーブル部分とｄ２の長さのケーブル部分とが切り離されたときに残されたケーブル部分の長さである。ｄ２は、ケーブル長測定部１０３により測定される。なお、Ｌ２は、未知であるが、Ｌ０とＬ２との差分はｄ１＋ｄ２であり既知である。Ｐ２は、ケーブル長をＬ２とし、抵抗値をｒ２としたときの座標である。Ｄ２は、Ｐ２と原点とを結ぶ直線である。θ２は、Ｄ２と横軸とのなす角である。つまり、θ２は、ｄ１の長さのケーブル部分とｄ２の長さのケーブル部分とを繋ぎ合わせたときの単位ケーブル長当たりの抵抗値を示す値である。θ２は、ｔａｎθ２＝（ｒ０−ｒ２）／（ｄ１＋ｄ２）という式（５）により表される。この段階で、Ｌ０を算出する場合、ｔａｎθ０＝（ｔａｎθ１＋ｔａｎθ２）／２という式（６）で近似される。つまり、式（２）と式（３）と式（５）と式（６）とから、Ｌ０が算出される。
【００４５】
以下、同様にして、ケーブル２０からケーブル部分が切り離される毎に、ｎを３以上の自然数として、ｒｎ、Ｌｎ、ｄｎ、Ｐｎ、Ｄｎ、θｎを測定又は算出し、Ｌ０を算出する。このように、個別割合の平均値から初期ケーブル長を算出する場合、ｎが大きい程、初期ケーブル長の算出精度が高まることが期待できる。図５に示す例では、ｎ＝１であるときのθ１よりも、ｎ＝２であるときの（θ１＋θ２）／２の方が、θ０に近い可能性が高いと考えられる。
【００４６】
また、ケーブル長算出部１０５は、ケーブル２０から使用されるケーブル部分が切り離される毎に算出された個別割合のうち最後に算出された個別割合から、初期ケーブル長を算出してもよい。この場合であっても、ｎが大きい程、初期ケーブル長の算出精度が高まることが期待できる。図５に示す例では、ｎ＝１であるときのθ１よりも、ｎ＝２であるときのθ２の方が、θ０に近い可能性が高いと考えられる。
【００４７】
この他、ケーブル２０から使用されるケーブル部分が切り離される毎に算出された個別割合に基づく種々の値から、初期ケーブル長を算出することができる。例えば、図５に示す例において、Ｐ０、Ｐ１、Ｐ２・・・Ｐｎにより近似される直線であって、原点を通る直線を検出し、検出した直線の傾きから初期ケーブル長を算出することができる。
【００４８】
情報出力部１０６は、ケーブル長算出部１０５により算出された初期ケーブル長を示す情報を出力する。具体的には、例えば、情報出力部１０６は、初期ケーブル長を示す情報を表示したり記憶したりする。情報出力部１０６の機能は、例えば、ＣＰＵ１１とタッチスクリーン１６とが協働することにより実現される。情報出力部１０６の機能は、ＣＰＵ１１とフラッシュメモリ１４とが協働することにより実現されてもよい。
【００４９】
ケーブル切断部１０７は、ケーブル２０から使用されるケーブル部分を切断する。ケーブル切断部１０７の機能は、ケーブル２０を切断するカッター２１０，２２０の機能と、カッター２１０，２２０によりケーブル２０が切断されるときにトリガ信号を出力する信号出力回路２４０の機能とにより実現される。ケーブル切断部１０７は、ケーブル切断手段として機能する。
【００５０】
パルス印加部１０８は、ケーブル２０が未使用段階であるときに、ケーブル２０に含まれる一対の電線の一端間又は他端間に電圧パルスを印加する。パルス印加部１０８の機能は、例えば、ＣＰＵ１１と有線通信インターフェース１７と信号発生器６００とが協働することにより実現される。パルス印加部１０８は、パルス印加手段として機能する。
【００５１】
波形測定部１０９は、電圧パルスの立ち上がりから予め定められた測定時間が経過するまでの上記一対の電線の一端間又は他端間の電圧値を含む電圧波形を測定する。波形測定部１０９の機能は、例えば、ＣＰＵ１１と有線通信インターフェース１７と信号発生器６００とが協働することにより実現される。波形測定部１０９は、波形測定手段として機能する。
【００５２】
時間測定部１１０は、波形測定部１０９により測定された電圧波形から、上記電圧パルスが上記一対の電線を往復するのに要した時間を測定する。時間測定部１１０の機能は、例えば、ＣＰＵ１１の機能により実現される。時間測定部１１０は、時間測定手段として機能する。
【００５３】
誘電率算出部１１１は、時間測定部１１０により測定された時間と上記初期ケーブル長とに応じた初期誘電率を算出する。なお、初期誘電率は、ケーブル２０の未使用段階の誘電率である。誘電率算出部１１１は、例えば、εｒ０＝（Ｔｔｄｒ０×ｃ／（２×Ｌ０））２という式（７）により、初期誘電率を算出する。εｒ０は、初期誘電率である。Ｔｔｄｒ０は、電圧パルスが未使用段階であるケーブル２０を往復するのに要する時間である。Ｌ０は、初期ケーブル長である。ｃは、真空中における光速であり、３．０×１０８（ｍ／ｓｅｃ）程度の値である。誘電率算出部１１１の機能は、例えば、ＣＰＵ１１の機能により実現される。  誘電率算出部１１１は、誘電率算出手段として機能する。
【００５４】
情報出力部１０６は、誘電率算出部１１１により算出された初期誘電率を示す情報を出力する。例えば、情報出力部１０６は、初期誘電率を示す情報を表示したり記憶したりする。
【００５５】
パルス印加部１０８と波形測定部１０９と時間測定部１１０とは、ＴＤＲ測定に関する処理を実行する。以下、図６を参照して、ＴＤＲ測定について簡単に説明する。ＴＤＲ測定は、立ち上がりの速い電圧パルスを２端子試料に印加して、試料に加わる電圧の時間的変化から、試料の内部構造を把握する測定手法である。本実施形態では、試料は、一対の電線を含むケーブル２０である。ＴＤＲ測定を実行する場合、ケーブル長計測装置１０００は、処理装置１００と、信号発生器６００と、波形測定器７００とを備える。
【００５６】
処理装置１００は、信号発生器６００を制御して、信号発生器６００にＴＤＲ測定のための電圧パルスを発生させる。また、処理装置１００は、波形測定器７００からＴＤＲ測定により得られた電圧波形を示す情報を取得する。処理装置１００は、この電圧波形に基づいて、電圧パルスの往復時間を求める。処理装置１００は、例えば、ＵＳＢケーブル（図示せず）により、信号発生器６００と波形測定器７００とに接続される。
【００５７】
信号発生器６００は、処理装置１００による制御に従って、ＴＤＲ測定のための電圧パルスを発生する。例えば、信号発生器６００は、発生した電圧パルスを、未使用段階のケーブル２０が備える一対の電線の一端間に印加する。信号発生器６００は、例えば、ＤＤＳ（Direct Digital Synthesis）信号発生器である。
【００５８】
波形測定器７００は、処理装置１００による制御に従って、ＴＤＲ測定による電圧波形を測定する。つまり、波形測定器７００は、電圧パルスが発生する期間において、未使用段階のケーブル２０が備える一対の電線の一端間の電圧を測定し、電圧波形を取得する。波形測定器７００は、電圧パルスの往復時間の予測値に対して十分に短いサンプリング周期（例えば、数ｎｓｅｃ程度）でサンプリングする。電圧波形は、予め定められた周期でサンプリングされた電圧値を順に並べたものである。
【００５９】
電圧パルスは、ケーブル２０が備える一対の電線により構成される伝送経路を進むときに、特性インピーダンスが大きく変化する箇所で反射する。例えば、電圧パルスは、特性インピーダンスが増大する箇所（例えば、自由端、開放端）で、正方向に大きく反射する。また、電圧パルスは、特性インピーダンスが減少する箇所（例えば、固定端、短絡端）で、正方向に大きく反射する。
【００６０】
例えば、ケーブル２０が備える一対の電線の他端が開放されている場合、電圧パルスは、この他端で正方向に反射する。その結果、図６に示すように、信号発生器６００が電圧パルスを発生したときに波形測定器７００により測定される電圧波形は、途中で振幅が増大する電圧波形となる。ここで、処理装置１００は、電圧パルスの立ち上がりから振幅が増大したところまでの時間であるＴｔｄｒを、電圧パルスの往復時間として算出する。
【００６１】
なお、ケーブル２０が備える一対の電線の他端が短絡されている場合、電圧パルスは、この他端で負方向に反射する。その結果、波形測定器７００により測定される電圧波形は、途中で振幅が減少する電圧波形となる。この場合、処理装置１００は、電圧パルスの立ち上がりから振幅が減少したところまでの時間であるＴｔｄｒを、電圧パルスの往復時間として算出する。
【００６２】
次に、図７に示すフローチャートを参照して、ケーブル長計測装置１０００が実行するケーブル長計測処理について説明する。なお、ケーブル長計測処理は、図６に示すように、ＴＤＲ測定が実行可能となるように、信号発生器６００と波形測定器７００とケーブル２０とが接続された後、ユーザによる指示に従って実行される。
【００６３】
まず、ＣＰＵ１１は、ＴＤＲ波形を測定する（ステップＳ１０１）。例えば、ＣＰＵ１１は、波形測定器７００に立ち上がりエッジトリガを設定した後、信号発生器６００に電圧パルスを発生させる。そして、ＣＰＵ１１は、波形測定器７００から電圧波形を示す情報を取得する。ＣＰＵ１１は、電圧波形を示す情報を、フラッシュメモリ１４に記憶する。以下、明示しないが、ケーブル長計測処理では、ＣＰＵ１１は、取得した情報、算出した情報、特定した情報を、フラッシュメモリ１４に記憶するものとする。
【００６４】
ＣＰＵ１１は、ステップＳ１０１の処理を完了すると、未使用段階における電圧パルスの往復時間を特定する（ステップＳ１０２）。例えば、ＣＰＵ１１は、上記電圧波形において、電圧パルスの立ち上がりから電圧が増大するまでの時間であるＴｔｄｒ０を、電圧パルスの往復時間として特定する。ステップＳ１０２の処理が完了した場合、ユーザは、図６に示すシステム構成から、図１に示すシステム構成に切り替える。ただし、ユーザは、未使用段階のケーブル２０が備える一対の電線の一端間を、短絡プローブ３１０，３２０により短絡する。なお、ＣＰＵ１１は、システム構成の切り替えを要求するメッセージをタッチスクリーン１６に表示することができる。また、ＣＰＵ１１は、システム構成の切り替えが完了したことを知らせる操作を、タッチスクリーン１６を介してユーザから受け付けることができる。
【００６５】
ＣＰＵ１１は、ステップＳ１０２の処理を完了すると、初期抵抗値を測定する（ステップＳ１０３）。例えば、ＣＰＵ１１は、未使用段階のケーブル２０が備える一対の電線の一端間が短絡された状態で、この一対の電線の他端間の抵抗値を抵抗測定器５００に測定させることで、初期抵抗値を測定することができる。ＣＰＵ１１は、ステップＳ１０３の処理を完了すると、トリガ信号があるか否かを判別する（ステップＳ１０４）。このトリガ信号は、ユーザがケーブル切断装置２００を用いてケーブル２０を切断したことにより、信号出力回路２４０により出力される。なお、ユーザは、ケーブル２０を切断する直前に、短絡プローブ３１０，３２０により、残されたケーブル部分に含まれる一対の電線の一端間を短絡するものとする。
【００６６】
ＣＰＵ１１は、トリガ信号がないと判別すると（ステップＳ１０４：ＮＯ）、ステップＳ１０４に処理を戻す。一方、ＣＰＵ１１は、トリガ信号があると判別すると（ステップＳ１０４：ＹＥＳ）、残存抵抗値を測定する（ステップＳ１０５）。なお、ＣＰＵ１１は、残されたケーブル部分が備える一対の電線の一端間が短絡された状態で、この一対の電線の他端間の抵抗値を抵抗測定器５００に測定させることで、残存抵抗値を測定することができる。
【００６７】
ＣＰＵ１１は、ステップＳ１０５の処理を完了すると、使用ケーブル長を算出する（ステップＳ１０６）。例えば、ＣＰＵ１１は、前回のトリガ信号が発生してから今回のトリガ信号が発生するまでに、ロータリーエンコーダ４１２，４２２から受信したパルス信号の個数に予め定められた定数を乗じた値を、使用ケーブル長として算出する。ＣＰＵ１１は、ステップＳ１０６の処理を完了すると、個別割合を算出する（ステップＳ１０７）。つまり、ＣＰＵ１１は、使用ケーブル長の合計値に対する、初期抵抗値と残存抵抗値との差の割合を、個別割合として算出する。
【００６８】
ＣＰＵ１１は、ステップＳ１０７の処理を完了すると、初期ケーブル長を算出する（ステップＳ１０８）。具体的には、ＣＰＵ１１は、ケーブル２０が切断される毎に算出された個別割合から代表値を求め、この代表値に対する初期抵抗値の割合を、初期ケーブル長として算出する。なお、代表値は、例えば、ケーブル２０が切断される毎に算出された個別割合の平均値である。ＣＰＵ１１は、ステップＳ１０８の処理を完了すると、初期ケーブル長を示す情報を出力する（ステップＳ１０９）。具体的には、ＣＰＵ１１は、初期ケーブル長を示す情報を、タッチスクリーン１６に表示したり、フラッシュメモリ１４に記憶させたりする。
【００６９】
ＣＰＵ１１は、ステップＳ１０９の処理を完了すると、初期誘電率を算出する（ステップＳ１１０）。具体的には、ＣＰＵ１１は、式（７）を用いて、ステップＳ１０２で特定した電圧パルスの往復時間とステップＳ１０８で算出した初期ケーブル長とから、初期誘電率を算出する。ＣＰＵ１１は、ステップＳ１１０の処理を完了すると、初期誘電率を示す情報を出力する（ステップＳ１１１）。具体的には、ＣＰＵ１１は、初期誘電率を示す情報を、タッチスクリーン１６に表示したり、フラッシュメモリ１４に記憶させたりする。この初期誘電率は、例えば、ケーブル２０から切り離されたケーブル部分が劣化したか否かを、ＴＤＲ測定の測定結果に基づいて判別するときに用いられる。
【００７０】
以上説明したように、本実施形態では、使用ケーブル長の合計値に対する減少抵抗値の割合である個別割合と初期抵抗値とに基づいて、初期ケーブル長が算出される。従って、本実施形態によれば、ケーブル２０の未使用段階の長さである初期ケーブル長を容易に計測することができる。
【００７１】
本実施形態では、初期ケーブル長を求めるためにユーザに課される操作は、基本的に、ケーブル２０の使用時における短絡操作だけである。従って、本実施形態によれば、ユーザの負担をあまり増やさずに、初期ケーブル長を自動で求めることができる。また、本実施形態では、ケーブル２０を使用する度に、初期ケーブル長の精度の向上が期待できる。
【００７２】
また、本実施形態によれば、初期ケーブル長とともに初期誘電率が自動で求められる。なお、ケーブル長計測装置１０００は、ケーブル２０を購入する毎に、初期誘電率を計測し、フラッシュメモリ１４に蓄積することができる。この初期誘電率は、ケーブル２０と同種類のケーブルの劣化の検出に用いることができる。
【００７３】
また、本実施形態では、ケーブル２０が切断されるときに出力されるトリガ信号に応じて、初期ケーブル長を求めるために必要な使用ケーブル長が自動で算出される。従って、本実施形態によれば、初期ケーブル長を求めるためのユーザの負担を更に小さくすることができる。
【００７４】
また、本実施形態では、残存抵抗値を求めるために必要な短絡操作を容易にするために、短絡プローブ３１０，３２０がケーブル長計測装置１０００に設けられている。従って、本実施形態によれば、初期ケーブル長を求めるためのユーザの負担を更に小さくすることができる。
【００７５】
（実施形態２）
実施形態１では、短絡プローブ３１０，３２０をケーブル長計測装置１０００に設ける例について説明した。本発明において、短絡プローブ３１０，３２０をケーブル長計測装置１０００に設けずに、短絡プローブ３１０，３２０の機能をカッター２１０，２２０に持たせることができる。以下、図８及び図９を参照して、本実施形態に係るケーブル長計測装置１１００について説明する。なお、ケーブル長計測装置１０００とケーブル長計測装置１１００とで共通する構成及び機能に関しては、説明を省略又は簡略化する。
【００７６】
図８に示すように、ケーブル長計測装置１１００は、短絡プローブ３１０，３２０を備えず、ケーブル切断装置２００に代えてケーブル切断装置２５０を備える。ケーブル切断装置２５０は、カッター２１１，２２１と、信号出力回路２４０とを備える。
【００７７】
カッター２１１，２２１は、カッター２１０，２２０としての機能に加え、短絡プローブ３１０，３２０としての機能を有する。つまり、カッター２１１，２２１は、ケーブル２０を切断する機能に加え、残されたケーブル部分に含まれる一対の電線の一端間を短絡する機能を有する。従って、カッター２１１，２２１は、硬度が高いだけでなく、電気抵抗や接触抵抗が小さい金属により構成されることが好適である。カッター２１１とカッター２２１とは、短絡線３３０により接続される。
【００７８】
信号出力回路２４０は、カッター２１１，２２１によりケーブル２０が切断されるときにトリガ信号を出力する。このトリガ信号は、カッター２１１，２２１により残されたケーブル部分に含まれる一対の電線の一端間が短絡されたときに出力されることが好適である。この場合、トリガ信号が出力されたことに応答して、使用ケーブル長の算出に加え、残存抵抗値の測定を開始することができる。
【００７９】
次に、図９を参照して、短絡プローブ３１０，３２０として機能するカッター２１１，２２１がケーブル２０を切断する様子について説明する。図９（Ａ）は、ケーブル２０の切断が開始された直後における切断面２３０の様子を示す図である。ケーブル２０の切断が開始された直後は、カッター２１１と電線２１とが接触せず、カッター２２１と電線２２とも接触しないため、電線２１と電線２２とが短絡されない。従って、ケーブル２０の切断が開始された直後は、抵抗値測定器５００により測定される抵抗値は、∞（Ω）である。
【００８０】
図９（Ｂ）は、ケーブル２０の切断処理がある程度進行し、残存抵抗値が計測される時における切断面２３０の様子を示す図である。残存抵抗値が計測される時は、カッター２１１と電線２１とが接触し、カッター２２１と電線２２とも接触するため、電線２１と電線２２とが短絡される。従って、残存抵抗値が計測される時は、抵抗値測定器５００により測定される抵抗値は、残されたケーブル部分の長さに応じた値であるｒｎ（Ω）である。
【００８１】
図９（Ｃ）は、ケーブル２０の切断処理が更に進行し、ケーブル２０の切断処理が終了した直後における切断面２３０の様子を示す図である。ケーブル２０の切断処理が終了した直後は、カッター２１１と電線２１とが接触している可能性があり、カッター２２１と電線２２とも接触している可能性があり、カッター２１１とカッター２２１とが接触する可能性が高いため、電線２１と電線２２とが短絡された状態である可能性が高い。従って、ケーブル２０の切断処理が終了した直後は、抵抗値測定器５００により測定される抵抗値は、残されたケーブル部分の長さに応じた値であるｒｎ（Ω）である可能性が高い。
【００８２】
ここで、カッター２１１とカッター２２１とが図９（Ｂ）に示す状態となったときに、信号出力回路２４０がトリガ信号を発生し、トリガ信号の発生に応答して残存抵抗値の測定が開始されるものとする。この場合、ユーザは、ケーブル２０をゆっくりと切断するだけで、残存抵抗値の測定が自動的に開始される。ここで、仮に、ユーザの切断操作が早すぎて、カッター２１１とカッター２２１とが図９（Ｂ）に示す状態から図９（Ｃ）に示す状態になった後に、残存抵抗値の測定が開始されるものとする。この場合であっても、電線２１と電線２２とが短絡された状態である可能性が高いため、適切に、残存抵抗値が測定されることが期待できる。
【００８３】
なお、トリガ信号の発生ではなく、ユーザ操作に従って、残存抵抗値を測定してもよい。この場合、抵抗測定器５００は、常時、抵抗値を測定し、測定された抵抗値を、抵抗測定器５００が備える表示部（図示せず）やタッチスクリーン１６に表示する。そして、ユーザは、表示された抵抗値が、∞から有限値になったタイミングで、タッチスクリーン１６に対して、測定された抵抗値を残存抵抗値として確定するためのユーザ操作をすればよい。ここで、仮に、ユーザの切断操作が早すぎて、カッター２１１とカッター２２１とが図９（Ｂ）に示す状態から図９（Ｃ）に示す状態になったものとする。この場合でも、電線２１と電線２２とが短絡された状態である可能性が高い。このため、ユーザは、タッチスクリーン１６に対して上記ユーザ操作をすることにより、適切に、残存抵抗値が測定される可能性が高い。
【００８４】
本実施形態では、ケーブル２０を切断するためのカッター２１１，２２１が、残されたケーブルに含まれる一対の電線の一端間を短絡する機能を有する。このため、本実施形態によれば、ケーブル長計測装置１１００を簡単な構成にすることができ、更に、ユーザの負担も減らすことができる。
【００８５】
（実施形態３）
実施形態１では、ケーブル２０の切断時に、残されたケーブル部分に含まれる一対の電線の一端間を短絡し、この一対の電線の他端間に常時接続された抵抗測定器５００により残存抵抗値を測定する例について説明した。本発明において、残されたケーブル部分に含まれる一対の電線の一端間を常時短絡し、ケーブル２０の切断時に、この一対の電線の他端間に抵抗測定器５００を接続して、残存抵抗値を測定するようにしてもよい。以下、図１０を参照して、本実施形態に係るケーブル長計測装置１２００について説明する。
【００８６】
本実施形態では、図１０に示すように、残されたケーブル部分に含まれる一対の電線の一端間は、短絡線３３０により常時短絡される。一方、抵抗測定器５００は、ケーブル２０の切断時に、計測プローブ３１１，３２１を介して、一時的に、この一対の電線の他端間に接続される。つまり、ユーザは、ケーブル２０の切断時には、計測プローブ３１１と電線２１とが接触し、計測プローブ３２１と電線２２とが接触するように、計測プローブ３１１，３２１をケーブル２０に食い込ませる。計測プローブ３１１，３２１は、電気抵抗や接触抵抗が小さい金属により構成される。計測プローブ３１１，３２１は、カッター２１１，２２１の近く（例えば、１ｃｍ程度）に配置される。
【００８７】
本実施形態では、抵抗測定器５００をケーブルリール３０と一体化する必要がない。このため、本実施形態によれば、処理装置１００と抵抗測定器５００とが有線により通信することができる。また、本実施形態によれば、抵抗測定器５００が回転することによる故障や測定エラーを減らすことができる。
【００８８】
（変形例）
以上、本発明の実施形態を説明したが、本発明を実施するにあたっては、種々の形態による変形及び応用が可能である。
【００８９】
本発明において、上記実施形態において説明した構成、機能、動作のどの部分を採用するのかは任意である。また、本発明において、上述した構成、機能、動作のほか、更なる構成、機能、動作が採用されてもよい。
【００９０】
実施形態１では、ケーブル２０がケーブルリール３０に巻かれている例について説明した。本発明において、ケーブル２０はケーブルリール３０に巻かれていなくてもよい。この場合であっても、巻かれたケーブル２０を解かずに初期ケーブル長を計測することができる利点は得られる。
【００９１】
実施形態１では、ケーブル２０から一回でも使用されるケーブル部分が切り離されると、直ちに、初期ケーブル長と初期誘電率とが求められる例について説明した。しかしながら、一回のケーブル部分の切り離しから求められる初期ケーブル長や初期誘電率の精度は、あまり高くない可能性がある。そこで、予め定められた閾値以上、ケーブル部分の切り離しが実行された場合に、初期ケーブル長と初期誘電率とが求められてもよい。
【００９２】
実施形態１では、ケーブル２０が電線２１と電線２２との２本の電線を含む例について説明した。本発明において、ケーブル２０に含まれる電線の本数は３本以上であってもよい。この場合、３本以上の電線から選択された２本の電線を上述した一対の電線とみなして、上述したケーブル長計測処理を実行することができる。
【００９３】
上記実施形態では、ケーブル長計測処理における殆どの処理が、処理装置１００によって実行される例について説明した。本発明において、ケーブル長計測処理のうちの一部の処理が作業者によって実行されてもよい。
【００９４】
本発明に係る処理装置１００の動作を規定する動作プログラムを既存のパーソナルコンピュータや情報端末装置に適用することで、当該パーソナルコンピュータ等を本発明に係る処理装置１００として機能させることも可能である。
【００９５】
また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【００９６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００９７】
本発明は、ケーブルの未使用段階の長さである初期ケーブル長を計測するケーブル長計測装置に適用可能である。
【符号の説明】
【００９８】
１１  ＣＰＵ、１２  ＲＯＭ、１３  ＲＡＭ、１４  フラッシュメモリ、１５  ＲＴＣ、１６  タッチスクリーン、１７  有線通信インターフェース、１８  無線通信インターフェース、２０  ケーブル、２１，２２  電線、２３，２４  絶縁体、３０  ケーブルリール、１００  処理装置、１０１  抵抗値測定部、１０２  記憶部、１０３  ケーブル長測定部、１０４  割合算出部、１０５  ケーブル長算出部、１０６  情報出力部、１０７  ケーブル切断部、１０８  パルス印加部、１０９  波形測定部、１１０  時間測定部、１１１  誘電率算出部、２００  ケーブル切断装置、２１０，２２０  カッター、２３０  切断面、２４０  信号出力回路、２５０  ケーブル切断装置、３１０，３２０  短絡プローブ、３１１，３２１  計測プローブ、３３０  短絡線、４１０，４２０  ローラー、４１１，４２１  回転軸、４１２，４２２  ロータリーエンコーダ、５００  抵抗測定器、６００  信号発生器、７００  波形測定器、１０００，１１００，１２００  ケーブル長計測装置
【図１】
2019020331.tif 000003
【図２】
2019020331.tif 000004
【図３】
2019020331.tif 000005
【図４】
2019020331.tif 000006
【図５】
2019020331.tif 000007
【図６】
2019020331.tif 000008
【図７】
2019020331.tif 000009
【図８】
2019020331.tif 000010
【図９】
2019020331.tif 000011
【図１０】
2019020331.tif 000012